(57)【要約】【課題】各人が許容できる可能性の高い水道水の給水場所を案内すること。【解決手段】給水情報出力プログラムは、利用者に係る第一の位置情報を受け付け、塩素の投入場所から各給水場所までのそれぞれの距離に基づいて、塩素濃度が前記利用者に対して記憶された許容範囲内であると推定される給水場所を特定し、特定される給水場所の中で、記憶部が給水場所ごとに記憶する位置情報に基づいて前記第一の位置情報に係る位置に最寄りであると判定される給水場所に関する情報を出力する、処理をコンピュータに実行させる。【選択図】図３
2014186474.tif 000002
【特許請求の範囲】
【請求項１】
利用者に係る第一の位置情報を受け付け、
塩素の投入場所から各給水場所までのそれぞれの距離に基づいて、塩素濃度が前記利用者に対して記憶された許容範囲内であると推定される給水場所を特定し、
特定される給水場所の中で、記憶部が給水場所ごとに記憶する位置情報に基づいて前記第一の位置情報に係る位置に最寄りであると判定される給水場所に関する情報を出力する、
処理をコンピュータに実行させる給水情報出力プログラム。
【請求項２】
前記特定する処理は、
前記第一の位置情報と前記投入場所の位置情報とに基づいて、前記第一の位置情報に係る第一の位置における塩素濃度を推定し、
前記塩素濃度の推定結果が、前記利用者に対して記憶された許容範囲内である場合に、前記投入場所から各給水場所までのそれぞれの距離に基づいて、塩素濃度が前記推定結果以下であると推定される給水場所を特定する、
請求項１記載の給水情報出力プログラム。
【請求項３】
前記特定する処理は、前記塩素濃度の推定結果が、前記利用者に対して記憶された許容範囲内である場合に、前記投入場所までの距離が、前記第一の位置情報に係る位置から前記投入場所までの距離以上である給水場所を特定する請求項２記載の給水情報出力プログラム。
【請求項４】
前記推定する処理は、前記投入場所から塩素濃度の各計測地点までのそれぞれの距離に基づいて、前記投入場所からの距離が、前記第一の位置情報に係る位置から前記投入場所までの距離以下である計測地点の計測値を、前記第一の位置における塩素濃度として推定する請求項２又は３記載の給水情報出力プログラム。
【請求項５】
利用者に係る第二の位置情報を受け付け、
前記第二の位置情報に係る位置から所定範囲内の位置に係る給水場所を、前記記憶部が記憶する位置情報に基づいて特定し、
特定された給水場所から前記投入場所までの距離、又は当該距離に基づいて推測される塩素濃度を、前記許容範囲を示す値として記憶する、
処理を前記コンピュータに実行させる請求項１乃至４いずれか一項記載の給水情報出力プログラム。
【請求項６】
利用者に係る第一の位置情報を受け付け、
塩素の投入場所から各給水場所までのそれぞれの距離に基づいて、塩素濃度が前記利用者に対して記憶された許容範囲内であると推定される給水場所を特定し、
特定される給水場所の中で、記憶部が給水場所ごとに記憶する位置情報に基づいて前記第一の位置情報に係る位置に最寄りであると判定される給水場所に関する情報を出力する、
処理をコンピュータが実行する給水情報出力方法。
【請求項７】
利用者に係る第一の位置情報を受け付ける受付部と、
塩素の投入場所から各給水場所までのそれぞれの距離に基づいて、塩素濃度が前記利用者に対して記憶された許容範囲内であると推定される給水場所を特定する特定部と、
特定される給水場所の中で、記憶部が給水場所ごとに記憶する位置情報に基づいて前記第一の位置情報に係る位置に最寄りであると判定される給水場所に関する情報を出力する出力部と、
を有することを特徴とする給水情報出力装置。
【発明の詳細な説明】
【技術分野】
【０００１】
本発明は、給水情報出力プログラム、給水情報出力方法、及び給水情報出力装置に関する。
【背景技術】
【０００２】
昨今では水道水を直接飲むことに躊躇する人もいる。水道水が飲み水として敬遠される要因の一つに塩素臭さがあると考えられる。水道水については、その安全性を確保するために厚生労働省が定める基準値が遵守される必要が有る。塩素に関する基準値として、水道管の末端で０．１ｍｇ／Ｌの濃度を満たすことが定められている。塩素は、通常、浄水場で投入されるが、塩素濃度は、水が水道管を流れていく過程（時間の経過）で低下する。そこで、浄水場では、水道管の末端でも基準値が維持されるように、配水管の距離、水が流れる時間等を勘案して、塩素が投入される。必然的に浄水場に近い場所ほど、塩素濃度は高くなり、浄水場から遠い場所ほど、塩素濃度は低くなる。
【先行技術文献】
【特許文献】
【０００３】
【特許文献１】特開平１０−１３７７６４号公報
【特許文献２】特開平７−２９００４０号公報
【発明の概要】
【発明が解決しようとする課題】
【０００４】
ところで、本願発明者は、飲料水としての水道水の利用の促進等を目的として、利用者の現在位置等、或る地点を起点として、利用者が、飲料水として許容可能な水道水の給水場所を案内可能なサービスについて検討を行っている。上記のような塩素濃度の特性に鑑みれば、或る地点の周辺に所在する給水場所の中で、浄水場から可能な限り遠い給水場所を案内すれば、利用者が許容可能である可能性の高い水道水の給水場所を案内可能であると考えられる。
【０００５】
しかしながら、塩素臭さに対する許容度には、個人差が有ると考えられる。したがって、浄水場からどの程度離れていれば、各人が許容可能な水道水であるのかということを画一的に決めるのは困難である。
【０００６】
そこで、一側面では、各人が許容できる可能性の高い水道水の給水場所を案内することを目的とする。
【課題を解決するための手段】
【０００７】
一つの案では、給水情報出力プログラムは、利用者に係る第一の位置情報を受け付け、塩素の投入場所から各給水場所までのそれぞれの距離に基づいて、塩素濃度が前記利用者に対して記憶された許容範囲内であると推定される給水場所を特定し、特定される給水場所の中で、記憶部が給水場所ごとに記憶する位置情報に基づいて前記第一の位置情報に係る位置に最寄りであると判定される給水場所に関する情報を出力する、処理をコンピュータに実行させる。
【発明の効果】
【０００８】
一態様によれば、各人が許容できる可能性の高い水道水の給水場所を案内することができる。
【図面の簡単な説明】
【０００９】
【図１】本発明の実施の形態における給水情報提供システムの構成例を示す図である。
【図２】本発明の実施の形態における給水情報出力装置のハードウェア構成例を示す図である。
【図３】本発明の実施の形態における給水情報出力装置の機能構成例を示す図である。
【図４】給水情報提供処理の処理手順の一例を説明するためのフローチャートである。
【図５】拠点情報記憶部の構成例を示す図である。
【図６】ユーザ情報記憶部の構成例を示す図である。
【図７】給水場所情報記憶部の構成例を示す図である。
【図８】給水情報提供画面の表示例を示す図である。
【図９】塩素濃度の記憶値の更新処理の処理手順の一例を説明するためのフローチャートである。
【図１０】ユーザ情報の登録処理の処理手順の一例を説明するためのフローチャートである。
【図１１】ユーザ情報の登録画面の表示例を示す図である。
【発明を実施するための形態】
【００１０】
以下、図面に基づいて本発明の実施の形態を説明する。図１は、本発明の実施の形態における給水情報提供システムの構成例を示す図である。図１に示される給水情報提供システム１において、給水情報出力装置１０は、移動体通信網等のネットワークを介して、１以上の携帯端末２０と通信可能とされている。
【００１１】
給水情報出力装置１０は、給水情報提供サービスを提供する１以上のコンピュータである。給水情報提供サービスとは、例えば、予め登録された利用者（以下、単に「ユーザ」という。）に対して、ユーザが許容できる可能性の高い水道水の給水場所に関する情報（以下、「給水情報」という。）を提供するサービスをいう。なお、給水場所とは、水道水を飲める場所又は施設等をいい、屋外又は屋内を問わない。
【００１２】
携帯端末２０は、ユーザが、給水情報提供サービスの提供を受けるために所持する情報処理装置である。すなわち、本実施の形態におけるユーザは、携帯端末２０の所持者である。携帯端末２０の一例として、携帯電話、スマートフォン、及びタブレット型端末等が挙げられる。
【００１３】
図２は、本発明の実施の形態における給水情報出力装置のハードウェア構成例を示す図である。図２の給水情報出力装置１０は、それぞれバスＢで相互に接続されているドライブ装置１００、補助記憶装置１０２、メモリ装置１０３、ＣＰＵ１０４、及びインタフェース装置１０５等を有する。
【００１４】
給水情報出力装置１０での処理を実現するプログラムは、記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００１５】
メモリ装置１０３は、プログラムの起動指示があった場合に、補助記憶装置１０２からプログラムを読み出して格納する。ＣＰＵ１０４は、メモリ装置１０３に格納されたプログラムに従って給水情報出力装置１０に係る機能を実行する。インタフェース装置１０５は、ネットワークに接続するためのインタフェースとして用いられる。
【００１６】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００１７】
図３は、本発明の実施の形態における給水情報出力装置の機能構成例を示す図である。図３において、給水情報出力装置１０は、要求受信部１１、塩素濃度推定部１２、給水場所特定部１３、情報出力部１４、記憶値更新部１５、及びユーザ情報登録部１６等を有する。これら各部は、給水情報出力装置１０にインストールされたプログラムが、ＣＰＵ１０４に実行させる処理により実現される。給水情報出力装置１０は、また、ユーザ情報記憶部１１１、拠点情報記憶部１１２、及び給水場所情報記憶部１１３等を利用する。これら各記憶部は、補助記憶装置１０２、又は給水情報出力装置１０にネットワークを介して接続される記憶装置等を用いて実現可能である。
【００１８】
要求受信部１１は、給水情報の提供要求を携帯端末２０より受信する。当該要求には、例えば、携帯端末２０の現在位置の位置情報等が指定されている。塩素濃度推定部１２は、当該要求に指定された位置情報に係る位置における塩素濃度を推定する。給水場所特定部１３は、給水場所情報記憶部１１３に登録されている給水場所の中から、塩素濃度が、当該要求に係るユーザの許容範囲内であると推定される給水場所を特定する。各給水場所の塩素濃度の推定は、浄水場から各給水場所までの距離に基づいて行われる。各ユーザの塩素濃度の許容範囲は、ユーザ情報記憶部１１１が記憶する。なお、浄水場は、本実施の形態において、塩素の投入場所の一例である。
【００１９】
情報出力部１４は、塩素濃度が、当該要求に係るユーザの許容範囲内であると推定される給水場所の中で、携帯端末２０からの要求に指定された位置情報に係る位置に最寄りの給水場の案内情報を出力する。
【００２０】
給水場所情報記憶部１１３は、給水場所ごとに、位置情報や浄水場からの距離等を記憶する。拠点情報記憶部１１２は、浄水場及び水質の検査地点ごとに、位置情報、当該浄水場からの距離、及び塩素濃度の計測値等を記憶する。各検査地点の塩素濃度の計測値は、塩素濃度推定部１２による塩素濃度の推定に利用される。
【００２１】
記憶値更新部１５は、例えば、塩素濃度の計測が行われるたびに、拠点情報記憶部１１２の記憶内容を更新する。ユーザ情報登録部１６は、ユーザごとの塩素濃度の許容範囲をユーザ情報記憶部１１１に登録する。
【００２２】
以下、給水情報出力装置１０が実行する処理手順について説明する。図４は、給水情報提供処理の処理手順の一例を説明するためのフローチャートである。なお、図４の説明において、携帯端末２０を介して給水情報提供サービスを受けるユーザを、「対象ユーザ」という。
【００２３】
ステップＳ１０１において、要求受信部１１は、いずれかの携帯端末２０より、給水情報の提供要求を受信する。当該要求には、対象ユーザのユーザＩＤ及び位置情報が指定されている。但し、ステップＳ１０１以前において、給水情報提供サービスに対するログイン等が行われ、既にユーザＩＤが特定されている場合は、給水情報の提供要求にユーザＩＤは含まれていなくてもよい。
【００２４】
位置情報は、例えば、携帯端末２０のＧＰＳ（Global Positioning System）機能等によって計測された緯度及び経度であってもよいし、対象ユーザによって携帯端末２０に対して入力された値でもよい。対象ユーザによって入力される値としては、住所や地名等であってもよい。または、携帯端末２０が表示させる地図上において、或る地点（緯度及び経度）が指定されてもよい。なお、緯度及び経度以外の情報が位置情報として指定されている場合、要求受信部１１は、当該情報を緯度及び経度に変換する。住所や地名等から緯度及び経度への変換は、公知技術を用いて行うことができる。以下、給水情報の提供要求に指定された位置情報に係る位置を、「指定位置」という。
【００２５】
続いて、塩素濃度推定部１２は、指定位置から浄水場までの距離αを算出する（Ｓ１０２）。本実施の形態において、浄水場の位置は、拠点情報記憶部１１２に記憶されている。
【００２６】
図５は、拠点情報記憶部の構成例を示す図である。図５に示される拠点情報記憶部１１２は、浄水場、及び浄水場を水源とする水道水の水質に関する複数の検査地点ごとに、浄水場からの距離、塩素濃度（残留塩素濃度）の計測値を記憶する。図５では、塩素濃度は、塩素が投入されるたびに塩素濃度が計測される例が示されている。したがって、塩素の投入時ごとに、塩素濃度の計測値が記憶されている。
【００２７】
また、図５は、「浄水場Ａ」に関する拠点情報記憶部１１２を示す。本実施の形態では、指定位置の最寄りの浄水場が、浄水場Ａである場合を例とする。なお、給水情報提供サービスの提供範囲が、一つの浄水場を水源とする地域に限定されるのであれば、拠点情報記憶部１１２は、当該浄水場に関して図５に示されるようなテーブルを記憶しておけばよい。一方、水源とする浄水場が相互に異なる複数の地域にわたって給水情報提供サービスが提供される場合、拠点情報記憶部１１２は、浄水場ごとに、図５に示されるようなテーブルを記憶しておけばよい。この場合、ステップＳ１０２以降の処理では、例えば、指定位置に最寄りの浄水場に対するテーブルが利用されればよい。
【００２８】
続いて、塩素濃度推定部１２は、浄水場Ａからの距離が、距離α以下である検査地点の中で、指定位置に最も近い検査地点を、浄水場Ａに関する拠点情報記憶部１１２より抽出する。塩素濃度推定部１２は、抽出された検査地点における最新の塩素濃度を、指定位置近辺の塩素濃度として推定する（Ｓ１０３）。具体的には、浄水場Ａを中心とし、距離αを半径とする円内に位置する検査地点の中で、指定位置に最も近い検査地点が抽出される。各検査地点が、当該円内に位置するか否かは、拠点情報記憶部１１２に記憶されている浄水場Ａからの距離と、距離αとを比較することで判定可能である。すなわち、浄水場Ａからの距離が距離α以内である検査地点が、当該円内に位置するといえる。当該円内に位置する検査地点の中で、指定位置に最も近い検査地点は、当該各検査地点に対して拠点情報記憶部１１２に記憶されている緯度／経度と、指定位置の位置情報とに基づいて特定可能である。
【００２９】
塩素濃度推定部１２は、該当する検査地点に対して拠点情報記憶部１１２に記憶されている、最新の塩素濃度を、指定位置における塩素濃度の推定値として判定する。浄水場で投入された塩素の残留濃度は、浄水場からの距離と相関を有するからである。
【００３０】
なお、ステップＳ１０３では、浄水場Ａからの距離が、指定位置と同じ距離又は指定位置よりも近い検査地点における塩素濃度が、指定位置における塩素濃度として推定される。このような推定が行われるのは、指定位置における塩素濃度を高めに推定するためである。換言すれば、指定位置における塩素濃度が、実際よりも低く推定される可能性を低減させるためである。
【００３１】
また、指定位置の塩素濃度の推定値は、浄水場Ａから指定位置までの距離に基づいて算出されてもよい。但し、本実施の形態のように、実際の計測値に基づく推定値の方が、信頼性は高いと考えられる。
【００３２】
続いて、給水場所特定部１３は、指定位置の塩素濃度の推定値が、対象ユーザの許容範囲内であるか否かを判定する（Ｓ１０４）。当該判定は、ユーザ情報記憶部１１１を参照して行われる。
【００３３】
図６は、ユーザ情報記憶部の構成例を示す図である。図６において、ユーザ情報記憶部１１１は、ユーザごとに、許容塩素濃度を記憶する。許容塩素濃度とは、ユーザが違和感を覚えない、又はユーザが許容可能な塩素濃度である。許容塩素濃度は、ユーザからの申告によって予め記憶されていてもよいし、後述の処理によって記憶されてもよい。
【００３４】
ステップＳ１０４では、指定位置の塩素濃度の推定値が、対象ユーザの許容塩素濃度以下であるか否かが判定される。当該推定値が、対象ユーザの許容塩素濃度以下である場合（Ｓ１０４でＹｅｓ）、給水場所特定部１３は、浄水場Ａからの距離が、距離α以上である給水場所の有無を判定する（Ｓ１０５）。当該判定は、給水場所情報記憶部１１３を参照して行われる。
【００３５】
図７は、給水場所情報記憶部の構成例を示す図である。図７において、給水場所情報記憶部１１３は、給水場所ごとに、緯度及び経度、浄水場からの距離、及び推定塩素濃度等を記憶する。
【００３６】
緯度及び経度は、給水場所の所在値の緯度及び経度である。浄水場からの距離は、浄水場から給水場所までの距離である。なお、図７では、浄水場Ａに対応する（浄水場Ａを水源とする）給水場所に係る給水場所情報記憶部１１３が示されている。すなわち、給水場所情報記憶部１１３は、浄水場ごとに設けられてもよい。推定塩素濃度は、給水場所における塩素濃度の推定値である。当該推定値は、例えば、特開平７−２９００４０号公報に記載された方法等、公知の方法を用いて、浄水場Ａから給水場所までの距離に基づいて算出することができる。
【００３７】
ステップＳ１０５では、浄水場Ａからの距離が、距離α以上である給水場所の有無が判定される。距離α以上であることが条件とされるのは、浄水場Ａからの距離が距離α以上である給水場所の水道水の塩素濃度は、指定位置の塩素濃度と同等、又は指定位置の塩素濃度よりも低い可能性が高いからである。すなわち、ステップＳ１０４において、指定位置の塩素濃度は対象ユーザの許容範囲内であることは確認されている。したがって、浄水場Ａからの距離が、距離α以上である給水場所における塩素濃度は、対象ユーザの許容範囲内である可能性が高いと考えられるからである。
【００３８】
なお、ステップＳ１０５では、給水場所情報記憶部１１３に記憶されている推定塩素濃度が、指定位置の塩素濃度以下である給水場所の有無が判定されてもよい。
【００３９】
該当する給水場所が有る場合（Ｓ１０５でＹｅｓ）、給水場所特定部１３は、当該給水場所の中で、指定位置に最寄りの給水場所を特定する（Ｓ１０６）。指定位置に最寄りの給水場所は、給水場所情報記憶部１１３に記憶されている緯度及び経度と、指定位置の位置情報とに基づいて特定可能である。
【００４０】
続いて、情報出力部１４は、特定された給水場所の所在地等を示す情報を含む画面データ（例えば、ＨＴＭＬ（HyperText Markup Language）データ等）を、携帯端末２０に返信する（Ｓ１０７）。すなわち、当該給水場所が、対象ユーザに対して推薦される給水場所であることが対象ユーザに提示される。携帯端末２０は、当該画面データに基づいて、給水情報提供画面を表示させる。
【００４１】
図８は、給水情報提供画面の表示例を示す図である。図８において、給水情報提供画面５１０は、指定位置の近辺の給水場所が、推薦対象として特定された場合の例である。給水情報提供画面５２０は、指定位置から比較的遠い給水場所が、推薦対象として特定された場合の例である。
【００４２】
いずれの場合においても、該当する給水場所までの経路を示す図や、道案内を示すメッセージ等が含まれている。対象ユーザは、給水情報提供画面５１０又は５２０を参照することで、自らが許容できる可能性の低い水道水の給水場所を知ることができる。
【００４３】
なお、最寄りの給水場所だけでなく、例えば、指定位置からの距離の近さが上位Ｎ番目まで等、複数の給水場所の情報が提示されてもよい。
【００４４】
一方、ステップＳ１０４でＮｏの場合、又はステップＳ１０５でＮｏの場合は、給水情報の提供は行われない（Ｓ１０８）。
【００４５】
続いて、拠点情報記憶部１１２に記憶される塩素濃度及び給水場所情報記憶部１１３に記憶される推定塩素濃度の更新処理について説明する。
【００４６】
図９は、塩素濃度の記憶値の更新処理の処理手順の一例を説明するためのフローチャートである。ステップＳ２０１の処理は、例えば、塩素濃度の計測周期に合わせて実行される。
【００４７】
ステップＳ２０１において、記憶値更新部１５は、例えば、水道局において、浄水場Ａ及び各検査地点における塩素濃度の計測値を管理しているコンピュータより、最新の塩素濃度の計測値を取得する。なお、例えば、インターネット等において公開されている最新の塩素濃度の計測値が、人手によって給水情報出力装置１０に入力されてもよい。
【００４８】
続いて、記憶値更新部１５は、浄水場Ａ及び各検査地点の最新の塩素濃度の計測値を、拠点情報記憶部１１２に記憶する（Ｓ２０２）。
【００４９】
続いて、記憶値更新部１５は、浄水場Ａから各給水場所までの距離に基づいて、各給水場所の推定塩素濃度を算出する（Ｓ２０３）。続いて、記憶値更新部１５は、算出結果によって、給水場所情報記憶部１１３が記憶する推定塩素濃度を更新する。
【００５０】
続いて、ユーザごとの許容塩素濃度の登録処理の一例について説明する。図１０は、ユーザ情報の登録処理の処理手順の一例を説明するためのフローチャートである。
【００５１】
ステップＳ３０１において、ユーザ情報登録部１６は、ユーザ情報の登録要求を携帯端末２０より受信する。当該登録要求には、ユーザＩＤ及び携帯端末２０の現在位置の位置情報等が指定されている。当該位置情報は、例えば、携帯端末２０のＧＰＳ機能によって計測される。なお、登録要求に指定されたユーザＩＤに係るユーザを、以下「対象ユーザ」という。また、登録要求に指定された位置情報を、「現在位置情報」という。
【００５２】
続いて、ユーザ情報登録部１６は、現在位置情報と、給水場所情報記憶部１１３が記憶する各給水場所の緯度及び経度とを比較することにより、対象ユーザの現在位置が、給水場所情報記憶部１１３に既に登録済みの給水場所であるか否かを判定する（Ｓ３０２）。例えば、現在位置情報に係る位置が、いずれかの登録済みの給水場所の緯度及び経度によって特定される位置から所定範囲内（例えば、半径数メートル以内）であれば、対象ユーザの現在位置は、当該給水場所であると判定される。
【００５３】
対象ユーザの現在位置が、既に登録済みの給水場所である場合（Ｓ３０２でＹｅｓ）、ユーザ情報登録部１６は、当該給水場所に対して給水場所情報記憶部１１３に記憶されている情報（登録名並びに緯度及び経度等）を取得する（Ｓ３０３）。続いて、ユーザ情報登録部１６は、当該情報を含む、画面データを携帯端末２０に返信する（Ｓ３０４）。携帯端末２０は、当該画面データに基づいて、ユーザ情報の登録画面を表示させる。
【００５４】
図１１は、ユーザ情報の登録画面の表示例を示す図である。図１１において、登録画面５３０は、対象ユーザの現在位置に係る給水場所の登録名並びに緯度及び経度を示す文字列や、ボタン５３１等を含む。ボタン５３１は、対象ユーザが、当該給水場所における水道水をおいしいと感じる、又は当該水道水を許容可能な場合に押下されるボタンである。ボタン５３１が押下されると、携帯端末２０は、ボタン５３１が押下されたことを示すメッセージを、ユーザ情報登録部１６に送信する。すなわち、図１０の処理は、対象ユーザが或る給水場所において、水道水を飲んだ場合に実行されることを想定している。
【００５５】
ユーザ情報登録部１６は、当該メッセージを受信すると（Ｓ３０５でＹｅｓ）、ユーザ情報記憶部１１１において、対象ユーザに対する許容塩素濃度の値を登録又は更新する（Ｓ３１１）。具体的には、対象ユーザの現在位置に係る給水場所に対して給水場所情報記憶部１１３に記憶されている推定塩素濃度の値が、ユーザ情報登録部１６において対象ユーザに対する許容塩素濃度に転記される。当該給水場所の水道水について、許容可能であるということは、対象ユーザは、少なくとも当該給水場所の推定塩素濃度を気にしないと考えられるからである。
【００５６】
なお、対象ユーザに対して許容塩素濃度の値が既に記憶されている場合、ステップＳ３１１において転記対象の値が、既に記憶されている値以上であれば、許容塩素濃度の値が更新されるようにしてもよい。
【００５７】
また、ステップＳ３１１の時点において、当該給水場所における推定塩素濃度が算出されてもよい。この場合、図９のステップＳ２０３及びＳ２０４は、実行されなくてもよい。また、この場合、給水場所情報記憶部１１３において、給水場所ごとに、推定塩素濃度は記憶されなくてもよい。
【００５８】
一方、対象ユーザの現在位置が、既に登録済みのいずれの給水場所でもない場合（Ｓ３０２でＹｅｓ）、ユーザ情報登録部１６は、画面データを携帯端末２０に返信する（Ｓ３０６）。携帯端末２０は、当該画面データに基づく画面を表示させる。当該画面は、例えば、当該現在位置に係る未登録の給水場所に対する登録名の入力領域と、ボタン５３１と同様のボタンとを含む。ユーザが、当該画面に対して登録名を入力し、当該ボタンを押下すると、携帯端末２０は、当該登録名と、当該ボタンが押下されたことを示すメッセージを、ユーザ情報登録部１６に送信する。
【００５９】
ユーザ情報登録部１６は、当該メッセージを受信すると（Ｓ３０７でＹｅｓ）、現在地点から浄水場Ａまでの距離を算出する（Ｓ３０８）。続いて、ユーザ情報登録部１６は、算出された距離と、浄水場Ａの最新の塩素濃度とに基づいて、現在地点における推定塩素濃度を算出する（Ｓ３０９）。続いて、ユーザ情報登録部１６は、現在地点に対する登録名と、推定塩素濃度とを含む新たなレコードを、給水場所情報記憶部１１３に登録する（Ｓ３１０）。なお、例えば、ユーザの自宅等が給水場所として登録可能とされてもよい。この場合、給水場所情報記憶部１１３は、ユーザごとに設けられてもよい。
【００６０】
続いて、ユーザ情報登録部１６は、現在地点における推定塩素濃度を、ユーザ情報記憶部１１１において、対象ユーザのユーザＩＤに対応する許容塩素濃度に転記する（Ｓ３１１）。
【００６１】
なお、デスクトップ型のＰＣ（Personal Computer）等、携帯端末２０以外の情報処理装置が、給水情報出力装置１０のクライアントとして用いられてもよい。または、給水情報出力装置１０が、ユーザによって直接操作されてもよい。携帯端末２０以外がクライアントである場合、又は給水情報出力装置１０が直接ユーザに操作されるケースは、ユーザが、現在の所在場所とは異なる場所における給水場所を知りたい場合に有効である。斯かる場所の一例として、旅先等の外出先や、引っ越し先又は引っ越し先の候補値等が挙げられる。なお、給水情報出力装置１０が直接操作される場合、給水情報提供画面５１０又は５２０は、給水情報出力装置１０に接続された表示装置に出力されてもよい。
【００６２】
また、本実施の形態において、ユーザごとの塩素濃度の許容範囲には、塩素濃度の値が設定される例について説明したが、塩素濃度が安定している場合には、塩素濃度が、浄水場からの距離に換算された結果が、許容範囲として設定されてもよい。この場合、塩素濃度推定部１２は、図４のステップＳ１０３において、浄水場から指定位置までの距離αを、塩素濃度の推定結果とすればよい。給水場所特定部１３は、図４のステップＳ１０４において、距離αが、対象ユーザに対して設定されている、塩素濃度の許容範囲を示す距離以上であるか否かを判定すればよい。
【００６３】
また、塩素濃度が対象ユーザの許容範囲内であると推定される給水場所は、給水場所情報記憶部１１３に給水場所ごとに記憶されている、緯度及び経度又は浄水場Ａからの距離に基づいて特定されてもよい。具体的には、浄水場Ａから各給水場所までの距離に基づいて各給水場所の塩素濃度を推定し、当該塩素濃度が、対象ユーザの許容塩素濃度以下である給水場所が特定されてもよい。この場合、指定位置における塩素濃度の推定は、行われなくてもよい。
【００６４】
上述したように、本実施の形態によれば、ユーザごとに設定された許容塩素濃度に基づいて、ユーザに対して案内される給水場所が特定される。したがって、ユーザによって指定された位置の周辺に位置する給水場所の中から、各人が許容できる可能性の高い水道水の給水場所を案内することができる。
【００６５】
なお、本実施の形態において、要求受信部１１は、受付部の一例である。塩素濃度推定部１２及び給水場所特定部１３は、特定部の一例である。情報出力部１４は、出力部の一例である。給水場所情報記憶部１１３は、記憶部の一例である。検査地点は、塩素濃度の計測地点の一例である。
【００６６】
以上、本発明の実施例について詳述したが、本発明は斯かる特定の実施形態に限定されるものではなく、特許請求の範囲に記載された本発明の要旨の範囲内において、種々の変形・変更が可能である。
【００６７】
以上の説明に関し、更に以下の項を開示する。
（付記１）
利用者に係る第一の位置情報を受け付け、
塩素の投入場所から各給水場所までのそれぞれの距離に基づいて、塩素濃度が前記利用者に対して記憶された許容範囲内であると推定される給水場所を特定し、
特定される給水場所の中で、記憶部が給水場所ごとに記憶する位置情報に基づいて前記第一の位置情報に係る位置に最寄りであると判定される給水場所に関する情報を出力する、
処理をコンピュータに実行させる給水情報出力プログラム。
（付記２）
前記特定する処理は、
前記第一の位置情報と前記投入場所の位置情報とに基づいて、前記第一の位置情報に係る第一の位置における塩素濃度を推定し、
前記塩素濃度の推定結果が、前記利用者に対して記憶された許容範囲内である場合に、前記投入場所から各給水場所までのそれぞれの距離に基づいて、塩素濃度が前記推定結果以下であると推定される給水場所を特定する、
付記１記載の給水情報出力プログラム。
（付記３）
前記特定する処理は、前記塩素濃度の推定結果が、前記利用者に対して記憶された許容範囲内である場合に、前記投入場所までの距離が、前記第一の位置情報に係る位置から前記投入場所までの距離以上である給水場所を特定する付記２記載の給水情報出力プログラム。
（付記４）
前記推定する処理は、前記投入場所から塩素濃度の各計測地点までのそれぞれの距離に基づいて、前記投入場所からの距離が、前記第一の位置情報に係る位置から前記投入場所までの距離以下である計測地点の計測値を、前記第一の位置における塩素濃度として推定する付記２又は３記載の給水情報出力プログラム。
（付記５）
利用者に係る第二の位置情報を受け付け、
前記第二の位置情報に係る位置から所定範囲内の位置に係る給水場所を、前記記憶部が記憶する位置情報に基づいて特定し、
特定された給水場所から前記投入場所までの距離、又は当該距離に基づいて推測される塩素濃度を、前記許容範囲を示す値として記憶する、
処理を前記コンピュータに実行させる付記１乃至４いずれか一項記載の給水情報出力プログラム。
（付記６）
利用者に係る第一の位置情報を受け付け、
塩素の投入場所から各給水場所までのそれぞれの距離に基づいて、塩素濃度が前記利用者に対して記憶された許容範囲内であると推定される給水場所を特定し、
特定される給水場所の中で、記憶部が給水場所ごとに記憶する位置情報に基づいて前記第一の位置情報に係る位置に最寄りであると判定される給水場所に関する情報を出力する、
処理をコンピュータが実行する給水情報出力方法。
（付記７）
前記特定する処理は、
前記第一の位置情報と前記投入場所の位置情報とに基づいて、前記第一の位置情報に係る第一の位置における塩素濃度を推定し、
前記塩素濃度の推定結果が、前記利用者に対して記憶された許容範囲内である場合に、前記投入場所から各給水場所までのそれぞれの距離に基づいて、塩素濃度が前記推定結果以下であると推定される給水場所を特定する、
付記６記載の給水情報出力方法。
（付記８）
前記特定する処理は、前記塩素濃度の推定結果が、前記利用者に対して記憶された許容範囲内である場合に、前記投入場所までの距離が、前記第一の位置情報に係る位置から前記投入場所までの距離以上である給水場所を特定する付記７記載の給水情報出力方法。
（付記９）
前記推定する処理は、前記投入場所から塩素濃度の各計測地点までのそれぞれの距離に基づいて、前記投入場所からの距離が、前記第一の位置情報に係る位置から前記投入場所までの距離以下である計測地点の計測値を、前記第一の位置における塩素濃度として推定する付記７又は８記載の給水情報出力方法。
（付記１０）
利用者に係る第二の位置情報を受け付け、
前記第二の位置情報に係る位置から所定範囲内の位置に係る給水場所を、前記記憶部が記憶する位置情報に基づいて特定し、
特定された給水場所から前記投入場所までの距離、又は当該距離に基づいて推測される塩素濃度を、前記許容範囲を示す値として記憶する、
処理を前記コンピュータが実行する付記６乃至９いずれか一項記載の給水情報出力方法。
（付記１１）
利用者に係る第一の位置情報を受け付ける受付部と、
塩素の投入場所から各給水場所までのそれぞれの距離に基づいて、塩素濃度が前記利用者に対して記憶された許容範囲内であると推定される給水場所を特定する第一の特定部と、
特定される給水場所の中で、記憶部が給水場所ごとに記憶する位置情報に基づいて前記第一の位置情報に係る位置に最寄りであると判定される給水場所に関する情報を出力する出力部と、
を有することを特徴とする給水情報出力装置。
（付記１２）
前記第一の特定部は、
前記第一の位置情報と前記投入場所の位置情報とに基づいて、前記第一の位置情報に係る第一の位置における塩素濃度を推定する推定部と、
前記塩素濃度の推定結果が、前記利用者に対して記憶された許容範囲内である場合に、前記投入場所から各給水場所までのそれぞれの距離に基づいて、塩素濃度が前記推定結果以下であると推定される給水場所を特定する第二の特定部とを含むことを特徴とする付記１１記載の給水情報出力装置。
（付記１３）
前記第二の特定部は、前記塩素濃度の推定結果が、前記利用者に対して記憶された許容範囲内である場合に、前記投入場所までの距離が、前記第一の位置情報に係る位置から前記投入場所までの距離以上である給水場所を特定する付記１２記載の給水情報出力装置。
（付記１４）
前記推定部は、前記投入場所から塩素濃度の各計測地点までのそれぞれの距離に基づいて、前記投入場所からの距離が、前記第一の位置情報に係る位置から前記投入場所までの距離以下である計測地点の計測値を、前記第一の位置における塩素濃度として推定する付記１２又は１３記載の給水情報出力装置。
（付記１５）
利用者に係る第二の位置情報を受け付け、前記第二の位置情報に係る位置から所定範囲内の位置に係る給水場所を、前記記憶部が記憶する位置情報に基づいて特定し、特定された給水場所から前記投入場所までの距離、又は当該距離に基づいて推測される塩素濃度を、前記許容範囲を示す値として記憶部に記憶する登録部を有することを特徴とする付記１１乃至１４いずれか一項記載の給水情報出力装置。
【符号の説明】
【００６８】
１            給水情報提供システム
１０          給水情報出力装置
１１          要求受信部
１２          塩素濃度推定部
１３          給水場所特定部
１４          情報出力部
１５          記憶値更新部
１６          ユーザ情報登録部
２０          携帯端末
１００        ドライブ装置
１０１        記録媒体
１０２        補助記憶装置
１０３        メモリ装置
１０４        ＣＰＵ
１０５        インタフェース装置
１１１        ユーザ情報記憶部
１１２        拠点情報記憶部
１１３        給水場所情報記憶部
Ｂ            バス
【図１】
2014186474.tif 000003
【図２】
2014186474.tif 000004
【図３】
2014186474.tif 000005
【図４】
2014186474.tif 000006
【図５】
2014186474.tif 000007
【図６】
2014186474.tif 000008
【図７】
2014186474.tif 000009
【図８】
2014186474.tif 000010
【図９】
2014186474.tif 000011
【図１０】
2014186474.tif 000012
【図１１】
2014186474.tif 000013